(57)【要約】【課題】画像データを受信した後に認証情報が入力された場合に印刷を実行する設定がされている場合に、認証情報の入力有無にかかわらず画像データを他装置に転送する構成と比較して、操作者の意図に反して画像データの内容が開示されてしまうことを抑制する。【解決手段】画像データを受信した後に認証情報が入力された場合に画像データに基づいて印刷を実行する設定である、認証印刷設定を行う設定手段と、認証印刷設定がされている場合に画像データを受信した場合には、認証情報が入力されると画像データを他装置に転送し、認証印刷設定がされていない場合に画像データを受信した場合には、認証情報の入力有無にかかわらず画像データを他装置に転送する転送手段とを備える画像処理装置。【選択図】図４
2020028008.tif 000002
【特許請求の範囲】
【請求項１】
画像データを受信した後に認証情報が入力された場合に当該画像データに基づいて印刷を実行する設定である、認証印刷設定を行う設定手段と、
前記認証印刷設定がされている場合に画像データを受信した場合には、前記認証情報が入力されると当該画像データを他装置に転送し、当該認証印刷設定がされていない場合に画像データを受信した場合には、当該認証情報の入力有無にかかわらず当該画像データを当該他装置に転送する転送手段と
を備える画像処理装置。
【請求項２】
前記認証印刷設定がされている場合に、前記転送手段の転送が行われていない画像データの情報を出力する出力手段をさらに備えること
を特徴とする請求項１に記載の画像処理装置。
【請求項３】
前記出力手段は、前記転送手段の転送が行われていない画像データについて、前記認証情報が入力された場合の処理として、印刷処理及び前記他装置への転送処理の少なくとも何れか一方の処理を指定できるように表示すること
を特徴とする請求項２に記載の画像処理装置。
【請求項４】
前記転送手段は、前記認証印刷設定がされている場合、受信した画像データに関する情報に応じて、前記認証情報が入力されると当該画像データを転送するか、又は当該認証情報の入力有無にかかわらず当該画像データを転送するかの何れかを選択する処理を行うこと
を特徴とする請求項１に記載の画像処理装置。
【請求項５】
前記転送手段は、受信した前記画像データの送信元に応じて、前記何れかを選択する処理を行うこと
を特徴とする請求項４に記載の画像処理装置。
【請求項６】
受信した画像データの受信者を指定する操作を操作者から受け付ける受付手段と、
指定された受信者に対して、前記画像データの処理として、印刷処理及び前記他装置への転送処理の少なくとも何れか一方の処理を指定するように通知する通知手段とをさらに備えること
を特徴とする請求項１に記載の画像処理装置。
【請求項７】
前記転送手段は、前記認証印刷設定が解除された場合に、前記他装置への転送が行われていない画像データを当該他装置に転送すること
を特徴とする請求項１に記載の画像処理装置。
【請求項８】
前記転送手段の転送が行われていない画像データを格納する格納部の空き容量よりも大きい容量の画像データを受信することを禁止する禁止手段をさらに備えること
を特徴とする請求項１に記載の画像処理装置。
【請求項９】
前記転送手段の転送が行われていない画像データを格納する格納部の空き容量よりも大きい容量の画像データを受信する場合に、当該格納部に格納された画像データのうち受信時刻が最も古いものから削除する削除手段をさらに備えること
を特徴とする請求項１に記載の画像処理装置。
【請求項１０】
前記認証印刷設定がされている場合に画像データを受信した場合に、前記認証情報が入力されると、当該画像データに基づく印刷とともに、当該画像データの転送を行うか否かを選択する選択手段をさらに備えること
を特徴とする請求項１に記載の画像処理装置。
【請求項１１】
前記選択手段は、受信した前記画像データに関する情報に応じて、当該画像データの転送を行うか否かを選択すること
を特徴とする請求項１０に記載の画像処理装置。
【請求項１２】
受信した画像データを他装置に転送する転送手段と、
画像データを受信した後に認証情報が入力されたことを条件として当該画像データに基づいて印刷を実行する設定がされた場合には、受信した画像データを、当該認証情報が入力されるまで前記他装置に転送しないように、前記転送手段を制御する転送制御手段と
を備える画像処理装置。
【請求項１３】
画像データを受信した後に認証情報が入力された場合に当該画像データを他装置に転送する設定である、認証転送設定を行う設定手段と、
前記認証転送設定がされている場合に画像データを受信した場合には、前記認証情報が入力されると当該画像データに基づいて印刷を実行し、当該認証転送設定がされていない場合に画像データを受信した場合には、当該認証情報の入力有無にかかわらず当該画像データに基づいて印刷を実行する印刷手段と
を備える画像処理装置。
【請求項１４】
コンピュータに、
画像データを受信した後に認証情報が入力された場合に当該画像データに基づいて印刷を実行する設定である、認証印刷設定を行う機能と、
前記認証印刷設定がされている場合に画像データを受信した場合には、前記認証情報が入力されると当該画像データを他装置に転送し、当該認証印刷設定がされていない場合に画像データを受信した場合には、当該認証情報の入力有無にかかわらず当該画像データを当該他装置に転送する機能と
を実現させるためのプログラム。
【発明の詳細な説明】
【技術分野】
【０００１】
本発明は、画像処理装置及びプログラムに関する。
【背景技術】
【０００２】
例えば、引用文献１には、親展ボックスを用いてクライアント装置とデータの受け渡しを行う画像入出力装置において、クライアント装置に記憶されているユーザの電子証明書をクライアント装置から取得し、電子証明書に基づいてユーザの親展ボックスを画像入出力装置の記憶領域に作成し、電子証明書に含まれる公開鍵を用いて親展ボックスに蓄積するデータを暗号化し、暗号化されたデータを用いて受け渡しをする画像入出力装置が開示されている。
【先行技術文献】
【特許文献】
【０００３】
【特許文献１】特開２００７−１６６０４９号公報
【発明の概要】
【発明が解決しようとする課題】
【０００４】
画像データを受信した場合に、認証情報が入力されなければ画像データの印刷を実行しないように設定することがある。一方で、画像データを受信した場合に、受信した画像データを他装置に転送することがある。ここで、認証情報が入力されなければ画像データの印刷を実行しないように設定しているにもかかわらず、画像データが他装置に転送されてしまうと、他装置にアクセスした者に対して画像データの内容が開示されてしまう。
本発明の目的は、画像データを受信した後に認証情報が入力された場合に印刷を実行する設定がされている場合に、認証情報の入力有無にかかわらず画像データを他装置に転送する構成と比較して、操作者の意図に反して画像データの内容が開示されてしまうことを抑制することにある。
【課題を解決するための手段】
【０００５】
請求項１に記載の発明は、画像データを受信した後に認証情報が入力された場合に当該画像データに基づいて印刷を実行する設定である、認証印刷設定を行う設定手段と、前記認証印刷設定がされている場合に画像データを受信した場合には、前記認証情報が入力されると当該画像データを他装置に転送し、当該認証印刷設定がされていない場合に画像データを受信した場合には、当該認証情報の入力有無にかかわらず当該画像データを当該他装置に転送する転送手段とを備える画像処理装置である。
請求項２に記載の発明は、前記認証印刷設定がされている場合に、前記転送手段の転送が行われていない画像データの情報を出力する出力手段をさらに備えることを特徴とする請求項１に記載の画像処理装置である。
請求項３に記載の発明は、前記出力手段は、前記転送手段の転送が行われていない画像データについて、前記認証情報が入力された場合の処理として、印刷処理及び前記他装置への転送処理の少なくとも何れか一方の処理を指定できるように表示することを特徴とする請求項２に記載の画像処理装置である。
請求項４に記載の発明は、前記転送手段は、前記認証印刷設定がされている場合、受信した画像データに関する情報に応じて、前記認証情報が入力されると当該画像データを転送するか、又は当該認証情報の入力有無にかかわらず当該画像データを転送するかの何れかを選択する処理を行うことを特徴とする請求項１に記載の画像処理装置である。
請求項５に記載の発明は、前記転送手段は、受信した前記画像データの送信元に応じて、前記何れかを選択する処理を行うことを特徴とする請求項４に記載の画像処理装置である。
請求項６に記載の発明は、受信した画像データの受信者を指定する操作を操作者から受け付ける受付手段と、指定された受信者に対して、前記画像データの処理として、印刷処理及び前記他装置への転送処理の少なくとも何れか一方の処理を指定するように通知する通知手段とをさらに備えることを特徴とする請求項１に記載の画像処理装置である。
請求項７に記載の発明は、前記転送手段は、前記認証印刷設定が解除された場合に、前記他装置への転送が行われていない画像データを当該他装置に転送することを特徴とする請求項１に記載の画像処理装置である。
請求項８に記載の発明は、前記転送手段の転送が行われていない画像データを格納する格納部の空き容量よりも大きい容量の画像データを受信することを禁止する禁止手段をさらに備えることを特徴とする請求項１に記載の画像処理装置である。
請求項９に記載の発明は、前記転送手段の転送が行われていない画像データを格納する格納部の空き容量よりも大きい容量の画像データを受信する場合に、当該格納部に格納された画像データのうち受信時刻が最も古いものから削除する削除手段をさらに備えることを特徴とする請求項１に記載の画像処理装置である。
請求項１０に記載の発明は、前記認証印刷設定がされている場合に画像データを受信した場合に、前記認証情報が入力されると、当該画像データに基づく印刷とともに、当該画像データの転送を行うか否かを選択する選択手段をさらに備えることを特徴とする請求項１に記載の画像処理装置である。
請求項１１に記載の発明は、前記選択手段は、受信した前記画像データに関する情報に応じて、当該画像データの転送を行うか否かを選択することを特徴とする請求項１０に記載の画像処理装置である。
請求項１２に記載の発明は、受信した画像データを他装置に転送する転送手段と、画像データを受信した後に認証情報が入力されたことを条件として当該画像データに基づいて印刷を実行する設定がされた場合には、受信した画像データを、当該認証情報が入力されるまで前記他装置に転送しないように、前記転送手段を制御する転送制御手段とを備える画像処理装置である。
請求項１３に記載の発明は、画像データを受信した後に認証情報が入力された場合に当該画像データを他装置に転送する設定である、認証転送設定を行う設定手段と、前記認証転送設定がされている場合に画像データを受信した場合には、前記認証情報が入力されると当該画像データに基づいて印刷を実行し、当該認証転送設定がされていない場合に画像データを受信した場合には、当該認証情報の入力有無にかかわらず当該画像データに基づいて印刷を実行する印刷手段とを備える画像処理装置である。
請求項１４に記載の発明は、コンピュータに、画像データを受信した後に認証情報が入力された場合に当該画像データに基づいて印刷を実行する設定である、認証印刷設定を行う機能と、前記認証印刷設定がされている場合に画像データを受信した場合には、前記認証情報が入力されると当該画像データを他装置に転送し、当該認証印刷設定がされていない場合に画像データを受信した場合には、当該認証情報の入力有無にかかわらず当該画像データを当該他装置に転送する機能とを実現させるためのプログラムである。
【発明の効果】
【０００６】
請求項１記載の発明によれば、画像データを受信した後に認証情報が入力された場合に印刷を実行する設定がされている場合に、認証情報の入力有無にかかわらず画像データを他装置に転送する構成と比較して、操作者の意図に反して画像データの内容が開示されてしまうことを抑制することができる。
請求項２記載の発明によれば、操作者が、他装置へ転送されていない画像データを把握することができる。
請求項３記載の発明によれば、操作者が、他装置へ転送されていない画像データについて、印刷処理及び転送処理の少なくとも何れか一方の処理を実行させることができる。
請求項４記載の発明によれば、認証印刷設定がされている場合であっても、受信した画像データに関する情報に応じて、認証情報の入力有無にかかわらず画像データを転送することができる。
請求項５記載の発明によれば、認証印刷設定がされている場合であっても、受信した画像データの送信元に応じて、認証情報の入力有無にかかわらず画像データを転送することができる。
請求項６記載の発明によれば、指定された受信者が、受信した画像データについて、印刷処理及び転送処理の少なくとも何れか一方の処理を実行させることができる。
請求項７記載の発明によれば、認証印刷設定が解除された場合に、認証情報の入力有無にかかわらず、他装置への転送が行われていない画像データを他装置へ転送することができる。
請求項８記載の発明によれば、転送が行われていない画像データを格納する格納部の空き容量よりも大きい容量の画像データを受信しないようにすることができる。
請求項９記載の発明によれば、転送が行われていない画像データを格納する格納部の空き容量よりも大きい容量の画像データを受信することができる。
請求項１０記載の発明によれば、画像データに基づいて印刷する場合に、画像データの転送を行うか否かを選択することができる。
請求項１１記載の発明によれば、受信した画像データに関する情報に応じて、画像データの転送を行うか否かを選択することができる。
請求項１２記載の発明によれば、画像データを受信した後に認証情報が入力された場合に印刷を実行する設定がされている場合に、認証情報の入力有無にかかわらず画像データを他装置に転送する構成と比較して、操作者の意図に反して画像データの内容が開示されてしまうことを抑制することができる。
請求項１３記載の発明によれば、画像データを受信した後に認証情報が入力された場合に画像データを他装置に転送する設定がされている場合に、認証情報の入力有無にかかわらず画像データに基づいて印刷を実行する構成と比較して、操作者の意図に反して画像データの内容が開示されてしまうことを抑制することができる。
請求項１４記載の発明によれば、画像データを受信した後に認証情報が入力された場合に印刷を実行する設定がされている場合に、認証情報の入力有無にかかわらず画像データを他装置に転送する構成と比較して、操作者の意図に反して画像データの内容が開示されてしまうことを抑制する機能を、コンピュータにより実現できる。
【図面の簡単な説明】
【０００７】
【図１】本実施の形態に係る画像処理システムの全体構成例を示した図である。
【図２】本実施の形態に係る画像処理装置のハードウェア構成例を示す図である。
【図３】本実施の形態に係る画像処理装置の制御部の機能構成例を示したブロック図である。
【図４】画像処理装置が外部から受信したＦＡＸデータを転送する処理手順の一例を示したフローチャートである。
【図５】中断されている転送ジョブを再開するか否かの選択を受け付ける画面の一例を示す図である。
【図６】ＦＡＸデータに対する処理の選択を受け付ける画面の一例を示す図である。
【発明を実施するための形態】
【０００８】
以下、添付図面を参照して、本発明の実施の形態について詳細に説明する。
【０００９】
＜画像処理システムの全体構成＞
図１は、本実施の形態に係る画像処理システム１の全体構成例を示した図である。図示するように、画像処理システム１は、画像処理装置１００とサーバ装置２００とを備える。画像処理装置１００及びサーバ装置２００は、ネットワーク３００に接続される。
【００１０】
画像処理装置１００は、印刷機能（プリント機能）及びファクシミリ（ＦＡＸ）機能を備えた、いわゆる複合機である。画像処理装置１００は、印刷ジョブを処理して、記録材の一例としての用紙に画像を形成して印刷を行う。また、画像処理装置１００は、ファクシミリにより画像データを受信し、受信した画像データに基づいて印刷を行ったり、受信した画像データをサーバ装置２００へ転送したりする。また、画像処理装置１００は、例えば、画像読み取り機能（スキャン機能）、複写機能（コピー機能）等の他の画像処理機能を有してもよい。
なお、印刷ジョブとは、印刷対象となる画像データと、印刷処理における設定が記述された制御命令とを含み、画像処理装置１００で実行される印刷処理の単位となるデータである。
また、以下では、ファクシミリにより受信した画像データを「ＦＡＸデータ」と称する場合がある。
【００１１】
サーバ装置２００は、画像処理装置１００から転送されたＦＡＸデータを管理するコンピュータ装置である。ここで、サーバ装置２００は、画像処理装置１００から転送されたＦＡＸデータを格納し、操作者の要求に応じてＦＡＸデータの内容を開示する。また、サーバ装置２００は、ＦＡＸデータに対してパスワードを付与し、このパスワードを受け付けた場合に、ＦＡＸデータの内容を開示するようにしてもよい。
【００１２】
ネットワーク３００は、画像処理装置１００やサーバ装置２００、不図示の他装置における情報通信に用いられる通信手段であり、例えば、インターネットやＬＡＮ（Local Area Network）、公衆電話網等を含む。
【００１３】
そして、本実施の形態では、画像処理装置１００において、認証印刷設定が行われる。認証印刷設定とは、画像データを受信した後に認証情報が入力された場合に（即ち、画像データを受信した後に認証情報が入力されたことを条件として）当該画像データに基づいて印刷を実行する設定である。認証印刷設定の対象になる画像データは、印刷ジョブに含まれる画像データや、ファクシミリにより受信した画像データ（即ち、ＦＡＸデータ）である。また、認証情報とは、例えば、認証印刷設定において予め定められたパスワードである。
【００１４】
例えば、印刷ジョブを受信した場合の処理について説明する。
画像処理装置１００は、認証印刷設定がされている場合（即ち、認証印刷設定が有効の場合）に外部から印刷ジョブを受信した場合、認証情報が入力されるまで印刷を行わない。そして、認証情報が入力されると、印刷ジョブに基づいて画像データの印刷を行う。
一方で、画像処理装置１００は、認証印刷設定がされていない場合に外部から印刷ジョブを受信した場合、認証情報の入力有無にかかわらず（即ち、認証情報が入力されるのを待機することなく）、印刷ジョブに基づいて画像データの印刷を行う。
【００１５】
また、例えば、ＦＡＸデータを受信した場合の処理について説明する。
ＦＡＸデータの処理には、ＦＡＸデータに基づく印刷の他に、ＦＡＸデータを転送する処理がある。ここで、認証印刷設定がされている場合に、認証情報が入力されるまでＦＡＸデータの印刷を行わないとしても、認証情報が入力される前にＦＡＸデータがサーバ装置２００へ転送されてしまうと、サーバ装置２００にアクセスした者に対してＦＡＸデータの内容が開示されてしまう。
そこで、本実施の形態に係る画像処理装置１００は、認証印刷設定がされている場合に外部からＦＡＸデータを受信した場合、認証情報が入力されるまでＦＡＸデータの印刷及びサーバ装置２００への転送を行わない。そして、認証情報が入力されると、画像処理装置１００は、ＦＡＸデータの印刷及びサーバ装置２００への転送を行う。一方で、画像処理装置１００は、認証印刷設定がされていない場合に外部からＦＡＸデータを受信した場合、認証情報の入力有無にかかわらず（即ち、認証情報が入力されるのを待機することなく）、ＦＡＸデータの印刷及びサーバ装置２００への転送を行う。
【００１６】
付言すると、認証印刷設定は、印刷ジョブとＦＡＸデータとで個別に設定を行うものとしてもよいし、印刷ジョブとＦＡＸデータとで共通の設定を行うものとしてもよい。
また、画像処理装置１００が印刷ジョブを受信する場合、印刷ジョブを送信した個人（又は、個人の端末装置）が特定される。即ち、印刷ジョブに基づく印刷では、印刷物を取得する者が特定される。そのため、印刷ジョブにおける認証情報は、個人単位で（即ち、操作者毎に）設定される。一方、ＦＡＸデータは画像処理装置１００を指定して送信されるものであり、ＦＡＸデータの宛先となる個人が指定されているわけではない。即ち、ＦＡＸデータに基づく印刷では、印刷物を取得する者は特定されない。そのため、ＦＡＸデータにおける認証情報は、画像処理装置１００単位で設定される。
以下では、ＦＡＸデータにおける認証情報を単に「認証情報」と称する。一方、印刷ジョブにおける認証情報を「個人認証情報」と称する。
【００１７】
＜画像処理装置のハードウェア構成＞
図２は、本実施の形態に係る画像処理装置１００のハードウェア構成例を示す図である。
図示するように、本実施の形態に係る画像処理装置１００は、制御部１１０と、ＨＤＤ（Hard Disk Drive）１２０と、操作パネル１３０と、画像読取部１４０と、画像形成部１５０と、通信インタフェース（以下、「通信Ｉ／Ｆ」と表記する）１６０とを備える。なお、これらの各機能部はバス１７０に接続されており、このバス１７０を介してデータの授受を行う。
【００１８】
制御部１１０は、画像処理装置１００の各部の動作を制御する。この制御部１１０は、ＣＰＵ（Central Processing Unit）１１０ａ、ＲＡＭ（Random Access Memory）１１０ｂ、ＲＯＭ（Read Only Memory）１１０ｃにより構成される。
ＣＰＵ１１０ａは、プログラム（ファームウェアを含む）の実行を通じて画像処理装置１００全体を制御する。ＲＡＭ１１０ｂは、ＣＰＵ１１０ａの作業用メモリ等として用いられるメモリ（記憶部）である。ＲＯＭ１１０ｃは、ＣＰＵ１１０ａが実行する各種プログラム等を記憶するメモリ（記憶部）である。そして、ＣＰＵ１１０ａは、例えばＲＯＭ１１０ｃやＨＤＤ１２０等に記憶された各種プログラムをＲＡＭ１１０ｂにロードして実行することにより、画像処理装置１００における各機能を実現する。
【００１９】
ＨＤＤ１２０は、アプリケーション等の各種プログラム、各種プログラムに対する入力データ、各種プログラムからの出力データ等を記憶する記憶領域である。ＨＤＤ１２０には、例えば、通信Ｉ／Ｆ１６０によって外部から受信したＦＡＸデータ等が記憶される。
【００２０】
操作パネル１３０は、各種の情報を表示するとともに、操作者からの操作を受け付ける。この操作パネル１３０は、液晶ディスプレイ等で構成された表示パネル、表示パネルの上に配置され、操作者によりタッチされた位置を検出するタッチパネル、操作者により押下される物理キー等から構成される。そして、操作パネル１３０は、例えば、画像処理装置１００の操作画面等の各種画面を表示パネルに表示したり、タッチパネル及び物理キーにより操作者からの操作を受け付けたりする。
【００２１】
画像読取部１４０は、原稿台上にセットされた用紙等の記録材に形成されている画像を読み取って、読み取った画像を示す画像データを生成する。ここで、画像読取部１４０は、例えばスキャナーであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いるとよい。
【００２２】
印刷手段の一例としての画像形成部１５０は、用紙等の記録材に画像を形成する印刷機構である。ここで、画像形成部１５０は、例えばプリンターであり、感光体に付着させたトナーを記録材に転写して像を形成する電子写真方式や、インクを記録材上に吐出して像を形成するインクジェット方式のものを用いるとよい。
【００２３】
通信Ｉ／Ｆ１６０は、ネットワーク３００を介して、サーバ装置２００や不図示の他装置との間で各種データの送受信を行う通信インタフェースである。通信Ｉ／Ｆ１６０は、インターネット回線用のインタフェース、公衆電話網用のインタフェース等を含む。
【００２４】
＜画像処理装置の制御部の機能構成＞
次に、本実施の形態に係る画像処理装置１００の制御部１１０の機能構成について説明する。図３は、本実施の形態に係る画像処理装置１００の制御部１１０の機能構成例を示したブロック図である。本実施の形態に係る画像処理装置１００の制御部１１０は、ＦＡＸデータ受信判定部１１１、認証印刷設定部１１２、ＦＡＸデータ転送部１１３、ＦＡＸデータ転送制御部１１４、操作受付部１１５、出力部１１６を備える。
【００２５】
ＦＡＸデータ受信判定部１１１は、外部からＦＡＸデータを受信したか否かを判定する。
【００２６】
設定手段の一例としての認証印刷設定部１１２は、認証印刷設定を行う。具体的には、認証印刷設定部１１２は、例えば操作者の操作を基に、認証印刷設定を有効にしたり、認証印刷設定を無効にしたりする。なお、認証印刷設定の設定状況については、ＨＤＤ１２０等に記憶される。
【００２７】
転送手段の一例としてのＦＡＸデータ転送部１１３は、外部から受信したＦＡＸデータをサーバ装置２００に転送する。ここで、ＦＡＸデータ転送部１１３は、外部から受信したＦＡＸデータのデータ形式を変換してサーバ装置２００に転送してもよいし、ＦＡＸデータのデータ形式を変換せずにサーバ装置２００に転送してもよい。
【００２８】
転送手段、転送制御手段の一例としてのＦＡＸデータ転送制御部１１４は、ＦＡＸデータ転送部１１３による転送を制御する。
より具体的には、ＦＡＸデータ転送制御部１１４は、外部からＦＡＸデータを受信した場合、ＨＤＤ１２０等に記憶された認証印刷設定の設定状況を参照し、認証印刷設定がされているか否か（即ち、認証印刷設定が有効であるか否か）を判定する。
ここで、認証印刷設定がされている場合、ＦＡＸデータ転送制御部１１４は、受信したＦＡＸデータを転送せずに、認証情報が入力されるまで待機する。即ち、ＦＡＸデータ転送制御部１１４は、認証情報が入力されるまでＦＡＸデータをサーバ装置２００に転送しないように、ＦＡＸデータ転送部１１３を制御する。そして、認証情報が入力されると、ＦＡＸデータ転送制御部１１４は、ＦＡＸデータをサーバ装置２００に転送するようにＦＡＸデータ転送部１１３を制御する。
一方、認証印刷設定がされていない場合、ＦＡＸデータ転送部１１３は、認証情報の入力有無にかかわらず、受信したＦＡＸデータをサーバ装置２００に転送するようにＦＡＸデータ転送部１１３を制御する。
【００２９】
受付手段の一例としての操作受付部１１５は、操作パネル１３０を介して操作者の操作を受け付ける。ここで、操作受付部１１５は、例えば、認証情報を入力する操作を受け付ける。また、操作受付部１１５は、例えば、認証印刷設定を有効にする操作や無効にする操作を受け付ける。
【００３０】
出力手段の一例としての出力部１１６は、認証印刷設定がされている場合に、ＦＡＸデータ転送部１１３による転送が行われていないＦＡＸデータの情報を出力する。
例えば、出力部１１６は、認証印刷設定がされている場合、ＦＡＸデータ転送部１１３による転送が行われていないＦＡＸデータの一覧を、操作者にメール等で通知する。
また、例えば、出力部１１６は、ＦＡＸデータ転送部１１３による転送が行われていないＦＡＸデータの情報を表示パネルに表示してもよい。より具体的には、例えば、出力部１１６は、ＦＡＸデータ転送部１１３による転送が行われていないＦＡＸデータについて、認証情報が入力された場合に実行する処理として、印刷処理及びサーバ装置２００への転送処理の少なくとも何れか一方の処理を指定できるように、表示パネルに表示する。
【００３１】
そして、画像処理装置１００の制御部１１０を構成する各機能部は、ソフトウェアとハードウェア資源とが協働することにより実現される。具体的には、例えば、画像処理装置１００を図２に示したハードウェア構成にて実現した場合、例えばＲＯＭ１１０ｃやＨＤＤ１２０等に記憶された各種プログラムが、ＲＡＭ１１０ｂに読み込まれてＣＰＵ１１０ａに実行されることにより、図３に示すＦＡＸデータ受信判定部１１１、認証印刷設定部１１２、ＦＡＸデータ転送部１１３、ＦＡＸデータ転送制御部１１４、操作受付部１１５、出力部１１６等の機能部が実現される。
【００３２】
＜ＦＡＸデータの転送処理の説明＞
次に、画像処理装置１００が外部から受信したＦＡＸデータを転送する処理の手順について説明する。図４は、画像処理装置１００が外部から受信したＦＡＸデータを転送する処理手順の一例を示したフローチャートである。図４に示す処理は、例えば一定時間毎（例えば、１秒毎）に行われる。なお、以下では、処理のステップを記号の「Ｓ」と表記する場合がある。
【００３３】
まず、ＦＡＸデータ受信判定部１１１は、外部からＦＡＸデータを受信したか否かを判定する（Ｓ１０１）。Ｓ１０１で否定の判断（ＮＯ）がされた場合、本処理フローは終了する。一方、Ｓ１０１で肯定の判断（ＹＥＳ）がされた場合、ＦＡＸデータ転送制御部１１４は、認証印刷設定がされているか否かを判定する（Ｓ１０２）。
【００３４】
Ｓ１０２で肯定の判断（ＹＥＳ）がされた場合、即ち、認証印刷設定がされている場合、ＦＡＸデータ転送制御部１１４は、ＦＡＸデータの転送を中断する（Ｓ１０３）。次に、ＦＡＸデータ転送制御部１１４は、認証情報が入力されたか否かを判定する（Ｓ１０４）。ここでの認証情報は、操作者毎に設定されたものではなく、画像処理装置１００単位で設定されたものである。
【００３５】
Ｓ１０４で肯定の判断（ＹＥＳ）がされた場合、ＦＡＸデータ転送制御部１１４は、中断したＦＡＸデータの転送を再開する（Ｓ１０５）。即ち、ＦＡＸデータ転送制御部１１４は、ＦＡＸデータをサーバ装置２００に転送するように、ＦＡＸデータ転送部１１３を制御する。また、画像形成部１５０により、ＦＡＸデータの印刷が行われる。そして、本処理フローは終了する。
【００３６】
一方、Ｓ１０４で否定の判断（ＮＯ）がされた場合、引き続きＳ１０４の処理が行われ、ＦＡＸデータ転送制御部１１４は、認証情報が入力されるまで待機する。
また、Ｓ１０２で否定の判断（ＮＯ）がされた場合、即ち、認証印刷設定がされていない場合、ＦＡＸデータ転送制御部１１４は、認証情報の入力有無にかかわらず、ＦＡＸデータをサーバ装置２００に転送するようにＦＡＸデータ転送部１１３を制御する（Ｓ１０６）。また、画像形成部１５０により、ＦＡＸデータの印刷が行われる。そして、本処理フローは終了する。
【００３７】
なお、画像処理装置１００は、操作者が認証情報を入力するまで、複数のＦＡＸデータの転送を待機してもよい。例えば、画像処理装置１００は、一のＦＡＸデータを受信し、認証情報が入力される前に、さらに他のＦＡＸデータを受信した場合、一のＦＡＸデータ及び他のＦＡＸデータの転送を待機する。そして、操作者が認証情報を入力すると、一のＦＡＸデータ及び他のＦＡＸデータがサーバ装置２００に転送される。また、一のＦＡＸデータ及び他のＦＡＸデータの印刷が行われる。
【００３８】
＜ＦＡＸデータの転送処理の具体例＞
次に、画像処理装置１００が外部から受信したＦＡＸデータを転送する処理について、具体例を挙げて説明する。なお、この例では、ＦＡＸデータを他装置に転送する処理を「転送ジョブ」として管理するが、本実施の形態では、転送ジョブを用いる構成に限られない。
【００３９】
まず、例えば公衆電話網を介して、外部から画像処理装置１００に対してＦＡＸデータが送信される。画像処理装置１００は、ＦＡＸデータを受信すると、ＦＡＸデータをサーバ装置２００に転送する転送ジョブを開始する。
ここで、ＦＡＸデータ転送制御部１１４は、認証印刷設定がされているか否かを判定する。認証印刷設定がされていない場合、ＦＡＸデータ転送制御部１１４は、ＦＡＸデータをサーバ装置２００に転送するようにＦＡＸデータ転送部１１３を制御する。そして、ＦＡＸデータ転送部１１３は、ＦＡＸデータをサーバ装置２００に転送する。また、画像形成部１５０により、ＦＡＸデータの印刷が行われる。
【００４０】
付言すると、ＦＡＸデータがサーバ装置２００に転送され、サーバ装置２００にＦＡＸデータが格納されることにより、ＦＡＸデータは外部から閲覧可能な状態になる。よって、自分宛のＦＡＸデータであっても、自分以外の他の者（例えば、自分と同じ社内の他の者）がサーバ装置２００にアクセスすることにより、ＦＡＸデータの内容を閲覧することができる。
【００４１】
一方、ＦＡＸデータを受信した場合に、認証印刷設定がされている場合、ＦＡＸデータ転送制御部１１４は、転送ジョブを中断する。そして、ＦＡＸデータ転送制御部１１４は、認証情報が入力されるまで待機する。認証情報が入力されると、ＦＡＸデータ転送制御部１１４は、入力された認証情報と予め定められた認証情報とを比較して、両者が一致するか否かを判定する。両者が一致する場合には認証は成功し、両者が一致しない場合には認証は失敗する。認証が失敗した場合には、例えば、認証情報が正しくない旨のメッセージが表示パネルに表示される。一方、認証が成功した場合には、ＦＡＸデータ転送制御部１１４は、中断した転送ジョブを再開する。そして、ＦＡＸデータ転送部１１３は、ＦＡＸデータをサーバ装置２００に転送する。また、画像形成部１５０により、ＦＡＸデータの印刷が行われる。
【００４２】
このように、操作者が認証情報を入力するまでの間、ＦＡＸデータはサーバ装置２００に転送されない。例えば、自分宛のＦＡＸデータについて、認証情報が入力されなければ、自分以外の他の者がサーバ装置２００にアクセスしても、ＦＡＸデータの内容を閲覧することはできない。そして、認証情報が入力されることにより、ＦＡＸデータがサーバ装置２００に転送され、サーバ装置２００においてＦＡＸデータの内容が閲覧可能な状態になる。
【００４３】
また、中断されている転送ジョブが複数ある場合には、認証が成功することにより、中断されている複数の転送ジョブが再開される。そして、個々の転送ジョブに対応するＦＡＸデータがサーバ装置２００に転送される。また、画像形成部１５０により、個々の転送ジョブに対応するＦＡＸデータの印刷が行われる。
【００４４】
ここで、出力部１１６は、認証印刷設定がされている場合、中断されている転送ジョブの一覧を、操作者に対してメール等で通知する。ここでの通知先は、例えば、中断されている転送ジョブの一覧を要求した操作者や、予め定められた操作者である。
また、操作者が認証情報を入力した場合（又は、認証情報による認証が成功した場合）に、中断されている転送ジョブを再開するか否かの選択を受け付ける画面を表示してもよい。図５は、中断されている転送ジョブを再開するか否かの選択を受け付ける画面の一例を示す図である。言い換えると、図５に示す画面は、サーバ装置２００に転送するＦＡＸデータの選択を受け付ける画面である。
【００４５】
図５に示す例では、中断されている転送ジョブの一覧を示しており、転送ジョブＡ、転送ジョブＢ、転送ジョブＣが中断されている。ここで、操作者は、再開する転送ジョブとして、１又は複数の転送ジョブを選択すればよい。
例えば、操作者が転送ジョブＡの領域１１を選択し、「ＯＫ」ボタン１２を選択すると、まだ認証情報による認証が行われていない場合には認証が行われる。そして、認証が成功すると、ＦＡＸデータ転送制御部１１４は、選択された転送ジョブＡを再開する。そして、ＦＡＸデータ転送部１１３は、転送ジョブＡに対応するＦＡＸデータＡをサーバ装置２００に転送する。また、画像形成部１５０により、ＦＡＸデータＡの印刷が行われる。
【００４６】
なお、図５に示す例では、中断されている転送ジョブが複数存在するが、中断されている転送ジョブが１つの場合にも、図５に示す画面を表示してもよい。
また、転送が行われた転送ジョブ（この例では、転送ジョブＡ）のＦＡＸデータは、印刷が完了した後、画像処理装置１００から削除される。
【００４７】
以上説明したように、本実施の形態に係る画像処理装置１００は、認証印刷設定がされている場合に外部からＦＡＸデータを受信すると、認証情報が入力されるまでＦＡＸデータの印刷及び転送を行わない。そして、認証情報が入力されると、画像処理装置１００は、ＦＡＸデータの印刷及び転送を行う。
【００４８】
＜ＦＡＸデータに対する処理の他の例＞
上述した例では、ＦＡＸデータ転送制御部１１４は、認証印刷設定がされている場合にＦＡＸデータを受信した場合に、認証情報が入力されると、ＦＡＸデータをサーバ装置２００に転送するように制御した。また、画像形成部１５０によりＦＡＸデータの印刷が行われた。ただし、本実施の形態では、例えば、ＦＡＸデータの印刷及び転送の両方の処理を行うのではなく、何れか一方の処理を行ってもよい。また、例えば、ＦＡＸデータに対する処理の内容を操作者が選択してもよい。このようなＦＡＸデータに対する処理の他の例について説明する。
【００４９】
（操作者が認証情報を入力したときの処理の説明）
まず、認証印刷設定がされている場合にＦＡＸデータを受信した場合に、操作者が認証情報を入力したときに行われる処理について説明する。
上述した例では、操作者が認証情報を入力すると、ＦＡＸデータの印刷及び転送が行われる。
ここで、本実施の形態では、操作者が認証情報を入力すると、ＦＡＸデータに対する処理の選択を受け付ける画面を表示してもよい。図６は、ＦＡＸデータに対する処理の選択を受け付ける画面の一例を示す図である。
【００５０】
図６に示す画面では、転送ジョブ毎に、転送の有無、印刷の有無の選択を受け付ける。具体的には、転送の有無の領域１３では、転送ジョブ毎に、プルダウンメニューにより、「有」、「無」が表示される。同様に、印刷の有無の領域１４では、転送ジョブ毎に、プルダウンメニューにより、「有」、「無」が表示される。操作者は、転送の有無の領域１３、印刷の有無の領域１４において、「有」、「無」の何れかを選択すればよい。
【００５１】
図示の例では、各転送ジョブについて、デフォルト（初期状態）では、全て「無」が設定される。そして、操作者が、転送ジョブＡについて、転送「有」、印刷「有」、転送ジョブＢについて、転送「有」を選択しており、この状態で「ＯＫ」ボタン１５を選択すると、まだ認証情報による認証が行われていない場合には認証が行われる。そして、認証が成功すると、ＦＡＸデータ転送部１１３は、転送ジョブＡに対応するＦＡＸデータＡ、転送ジョブＢに対応するＦＡＸデータＢをサーバ装置２００に転送する。また、画像形成部１５０により、ＦＡＸデータＡの印刷が行われる。
【００５２】
なお、図６に示す例では、中断されている転送ジョブが複数存在するが、中断されている転送ジョブが１つの場合にも、図６に示す画面を表示してもよい。
また、印刷及び転送が行われた転送ジョブ（この例では、転送ジョブＡ）のＦＡＸデータは、画像処理装置１００から削除される。他方、印刷及び転送のうちの少なくとも何れか一方の処理が行われていない転送ジョブ（この例では、転送ジョブＢ、転送ジョブＣ）のＦＡＸデータは、画像処理装置１００に格納されたままとなる。ただし、操作受付部１１５は、各転送ジョブについて、ＦＡＸデータを削除するか否かの選択を操作者から受け付けてもよい。
このようにして、操作者が認証情報を入力すると、操作者により、ＦＡＸデータに対する処理の選択が行われる。
【００５３】
また、本実施の形態では、操作者が認証情報を入力すると、画像処理装置１００が、ＦＡＸデータに対する処理の選択を行ってもよい。
例えば、ＣＰＵ１１０ａは、全てのＦＡＸデータに対する共通の設定を基に、ＦＡＸデータに対する処理の内容を選択する。共通の設定としては、例えば、「印刷及び転送を行う設定」、「印刷のみを行う設定」、「転送のみを行う設定」が存在する。また、例えば、「印刷及び転送を行う設定」、「印刷のみを行う設定」のように、印刷を行うことを前提として、転送を行うか否かを設定するようにしてもよい。このような設定内容を基に、ＦＡＸデータの印刷、転送が行われる。
【００５４】
また、例えば、ＣＰＵ１１０ａは、ＦＡＸデータに関する情報に応じて、ＦＡＸデータに対する処理の内容を選択してもよい。即ち、ＣＰＵ１１０ａは、ＦＡＸデータに関する情報に応じて、例えば、「印刷及び転送」、「印刷のみ」、「転送のみ」の何れかを選択する。また、ＣＰＵ１１０ａは、ＦＡＸデータに関する情報に応じて、「印刷及び転送」、「印刷のみ」のように、印刷を行うことを前提として、転送を行うか否かを選択してもよい。
なお、ＦＡＸデータに関する情報とは、例えば、ＦＡＸデータの送信元や、ＦＡＸデータの受信頻度である。
【００５５】
例えば、ＣＰＵ１１０ａは、ＦＡＸデータの送信元を基に、何れかの処理を選択する。例えば、秘密性の高い情報をやり取りする送信元については、「印刷のみ」が選択される。また、例えば、早急な対応が必要となる送信元については、「印刷及び転送」が選択される。さらに、処理内容が事前に決められていない送信元については、デフォルトで決められた処理（例えば、「印刷及び転送」）が選択される。
また、例えば、ＣＰＵ１１０ａは、ＦＡＸデータの受信頻度（又は、受信回数）を基に、何れかの処理を選択する。例えば、過去にＦＡＸデータを受信したことのない送信元については、「印刷及び転送」が選択される。また、例えば、ＦＡＸデータの受信頻度が高い送信元については、サーバ装置２００の空き容量が減少することを防ぐために、「印刷のみ」が選択される。
【００５６】
なお、ＦＡＸデータに関する情報は、ＦＡＸデータの送信元や受信頻度に限られない。例えば、ＦＡＸデータのデータ量やＦＡＸデータの受信時刻を用いてもよい。
このようにして、操作者が認証情報を入力すると、画像処理装置１００により、ＦＡＸデータに対する処理の選択が行われる。この場合、ＣＰＵ１１０ａを、選択手段の一例として捉えることができる。
【００５７】
（操作者が認証情報を入力する前の処理の説明）
次に、認証印刷設定がされている場合にＦＡＸデータを受信した場合に、操作者が認証情報を入力する前に行われる処理について説明する。
上述した例では、操作者が認証情報を入力する前には、ＦＡＸデータの印刷及び転送を行わずに待機した。
ここで、本実施の形態では、操作者が認証情報を入力する前に、画像処理装置１００が、ＦＡＸデータに対する処理の選択を行ってもよい。
【００５８】
例えば、ＣＰＵ１１０ａは、全てのＦＡＸデータに対する共通の設定を基に、ＦＡＸデータに対する処理の内容を選択する。共通の設定としては、例えば、「認証情報の入力前に（即ち、認証情報の入力有無にかかわらず）転送はするが印刷はしない設定」、「認証情報の入力前に印刷はするが転送はしない設定」、「認証情報の入力前に印刷及び転送の両方を行わない設定」が存在する。また、「認証情報が入力されると転送する設定」、「認証情報の入力有無にかかわらず転送する設定」のように、認証情報の入力前に印刷しないことを前提として、転送を行うか否かを設定するようにしてもよい。このような設定内容を基に、ＦＡＸデータの印刷、転送が行われる。
また、認証情報が入力されると、印刷及び転送のうち、まだ行われていない処理が行われる。例えば、認証情報の入力前にＦＡＸデータを転送しなかった場合には、認証情報が入力されると、ＦＡＸデータが転送される。また、認証情報の入力前にＦＡＸデータを印刷しなかった場合には、認証情報が入力されると、ＦＡＸデータの印刷が行われる。ただし、認証情報が入力されると、ＦＡＸデータに対する処理の内容を操作者が選択したり、ＦＡＸデータに関する情報に応じて画像処理装置１００が選択したりしてもよい。
【００５９】
また、例えば、ＣＰＵ１１０ａは、ＦＡＸデータに関する情報に応じて、ＦＡＸデータに対する処理の内容を選択してもよい。即ち、ＣＰＵ１１０ａは、ＦＡＸデータに関する情報に応じて、例えば、「認証情報の入力前に転送はするが印刷はしない」、「認証情報の入力前に印刷はするが転送はしない」、又は「認証情報の入力前に印刷及び転送の両方を行わない」の何れかの処理を選択する。また、ＣＰＵ１１０ａは、ＦＡＸデータに関する情報に応じて、「認証情報が入力されると転送する」、「認証情報の入力有無にかかわらず転送する」のように、認証情報の入力前に印刷しないことを前提として、転送を行うか否かを選択してもよい。
【００６０】
例えば、秘密性の高い情報をやり取りする送信元については、「認証情報の入力前に印刷及び転送の両方を行わない」という処理が選択される。また、例えば、早急な対応が必要となる送信元については、「認証情報の入力前に転送はするが印刷はしない」という処理が選択される。
そして、認証情報が入力されると、印刷及び転送のうち、まだ行われていない処理が行われる。ただし、認証情報が入力されると、ＦＡＸデータに対する処理の内容を操作者が選択したり、ＦＡＸデータに関する情報に応じて画像処理装置１００が選択したりしてもよい。
【００６１】
＜他の実施例の説明＞
また、本実施の形態では、操作者が画像処理装置１００を操作中に、画像処理装置１００がＦＡＸデータを受信することも考えられる。そこで、この場合に、受信したＦＡＸデータの転送を中断するか否かの選択を受け付ける画面を表示してもよい。
ここで、操作者がＦＡＸデータの転送を中断することを選択した場合、ＦＡＸデータ転送制御部１１４は、ＦＡＸデータの転送を中断する。その後、新たに認証情報が入力されると、転送が行われていないＦＡＸデータがサーバ装置２００へ転送される。一方、操作者がＦＡＸデータの転送を中断しないこと（即ち、ＦＡＸデータを転送すること）を選択した場合、ＦＡＸデータ転送制御部１１４は、ＦＡＸデータをサーバ装置２００に転送するように制御する。
また、操作者の選択を受け付ける前に、ＦＡＸデータにおける認証情報を入力するように、操作者に要求してもよい。
【００６２】
また、本実施の形態では、操作者が画像処理装置１００における認証印刷設定を解除した場合、言い換えると、認証印刷設定を有効の状態から無効の状態に変更した場合、ＦＡＸデータ転送制御部１１４は、サーバ装置２００への転送が行われていない全てのＦＡＸデータ（即ち、転送が中断している全てのＦＡＸデータ）をサーバ装置２００に転送するように、ＦＡＸデータ転送部１１３を制御してもよい。この場合、転送が行われていない全てのＦＡＸデータについて、印刷も行われる。ただし、すでに印刷が行われているＦＡＸデータについては、再度印刷しなくてもよい。
【００６３】
さらに、本実施の形態では、操作者が画像処理装置１００における認証印刷設定を解除した場合、図５に示すように、サーバ装置２００に転送するＦＡＸデータの選択を受け付ける画面を表示してもよい。この場合、操作者が選択したＦＡＸデータの印刷及び転送が行われ、操作者が選択しないＦＡＸデータの転送は中断したままとなる。また、図６に示すように、ＦＡＸデータに対する処理の選択を受け付ける画面を表示してもよい。この場合、各ＦＡＸデータは、操作者の選択に従って処理が行われる。
【００６４】
また、本実施の形態では、ＦＡＸデータの転送を中断している間、ＦＡＸデータはＨＤＤ１２０等の予め定められた記憶領域（以下、ＦＡＸデータ記憶領域と称する）に格納される。ただし、ＦＡＸデータ記憶領域の記憶容量には制限があるため、この記憶容量を考慮した制御を行ってもよい。本実施の形態では、転送が行われていない画像データを格納する格納部の一例として、ＦＡＸデータ記憶領域が用いられる。
例えば、ＦＡＸデータを受信してから予め定められた期間、認証情報が入力されない場合、ＣＰＵ１１０ａは、ＦＡＸデータ記憶領域の空き容量を増やすために、このＦＡＸデータを削除してもよい。
【００６５】
また、例えば、ＦＡＸデータ記憶領域の空き容量が予め定められた条件を満たす場合に、ＣＰＵ１１０ａは、ＦＡＸデータの受信を禁止してもよい。この場合、ＣＰＵ１１０ａは、禁止手段の一例として捉えることができる。
より具体的には、例えば、ＦＡＸデータ記憶領域の空き容量が、画像処理装置１００に送信されたＦＡＸデータの容量よりも小さい場合、ＣＰＵ１１０ａは、このＦＡＸデータの受信を禁止してもよい。即ち、ＦＡＸデータ記憶領域の空き容量よりも大きい容量のＦＡＸデータを受信することを禁止してもよい。
また、例えば、ＦＡＸデータ記憶領域の空き容量が、予め定められた記憶容量を下回った場合に、ＣＰＵ１１０ａは、新たなＦＡＸデータの受信を禁止してもよい。
【００６６】
さらに、例えば、ＦＡＸデータ記憶領域の空き容量が予め定められた条件を満たす場合に、ＣＰＵ１１０ａは、ＦＡＸデータ記憶領域に記憶されたＦＡＸデータのうち受信時刻が最も古いものから削除してもよい。この場合、ＣＰＵ１１０ａは、削除手段の一例として捉えることができる。
より具体的には、例えば、ＦＡＸデータ記憶領域の空き容量が、画像処理装置１００に送信されたＦＡＸデータの容量よりも小さい場合（即ち、ＦＡＸデータ記憶領域の空き容量よりも大きい容量のＦＡＸデータを受信する場合）、ＣＰＵ１１０ａは、ＦＡＸデータ記憶領域に記憶されたＦＡＸデータのうち受信時刻が最も古いものから削除する。そして、１又は複数のＦＡＸデータを削除することにより、ＦＡＸデータ記憶領域の空き容量が、画像処理装置１００に送信されたＦＡＸデータの容量以上になった場合に、ＦＡＸデータを受信して新たにＦＡＸデータ記憶領域に記憶される。
また、例えば、ＦＡＸデータ記憶領域の空き容量が、予め定められた記憶容量を下回った場合に、ＣＰＵ１１０ａは、ＦＡＸデータ記憶領域に記憶されたＦＡＸデータのうち受信時刻が最も古いものから削除してもよい。
【００６７】
また、本実施の形態では、画像処理装置１００は、受信したＦＡＸデータの情報を表示して、このＦＡＸデータの受信者を指定する操作を操作者から受け付けてもよい。
例えば、画像処理装置１００は、ＦＡＸデータの送信元や、ＦＡＸデータを印刷する場合の最初のページを表示パネルに表示する。操作者は、表示した情報を確認して、ＦＡＸデータの宛先と想定される受信者を指定する。そして、操作受付部１１５が受信者を指定する操作を受け付けると、出力部１１６は、指定された受信者に対して、ＦＡＸデータの処理として、印刷処理及びサーバ装置２００への転送処理の少なくとも何れか一方の処理を指定するように通知する。この通知により、受信者は、画像処理装置１００において、ＦＡＸデータの印刷や転送を指定すればよい。なお、ＦＡＸデータは受信者に対応付けられているため、受信者は、画像処理装置１００にてＦＡＸデータの認証情報を入力するのではなく、受信者個人に付与された個人認証情報を画像処理装置１００に入力して、認証を行えばよい。
【００６８】
さらに、本実施の形態では、認証印刷設定として、認証情報が入力された場合に画像データに基づいて印刷を実行する設定を行うこととしたが、認証印刷設定を、認証情報が入力された場合に画像データの転送を行う設定として捉えることもできる。即ち、認証印刷設定は、画像データを受信した後に認証情報が入力された場合に当該画像データをサーバ装置２００等の他装置へ転送する設定である、認証転送設定の一例として用いられる。
例えば、認証転送設定がされている場合にＦＡＸデータを受信した場合に、認証情報が入力されると、ＦＡＸデータ転送部１１３は、受信したＦＡＸデータをサーバ装置２００へ転送し、画像形成部１５０は、受信した画像データに基づいて印刷を実行する。一方、認証転送設定がされていない場合にＦＡＸデータを受信した場合には、認証情報の入力有無にかかわらず、ＦＡＸデータ転送部１１３は、受信したＦＡＸデータをサーバ装置２００へ転送し、画像形成部１５０は、受信した画像データに基づいて印刷を実行する。
【００６９】
また、本発明の実施の形態を実現するプログラムは、通信手段により提供することはもちろん、ＣＤ−ＲＯＭ等の記録媒体に格納して提供することも可能である。
【００７０】
なお、上記では種々の実施形態および変形例を説明したが、これらの実施形態や変形例どうしを組み合わせて構成してももちろんよい。
また、本開示は上記の実施形態に何ら限定されるものではなく、本開示の要旨を逸脱しない範囲で種々の形態で実施することができる。
【符号の説明】
【００７１】
１…画像処理システム、１００…画像処理装置、１１０…制御部、１１０ａ…ＣＰＵ、１１１…ＦＡＸデータ受信判定部、１１２…認証印刷設定部、１１３…ＦＡＸデータ転送部、１１４…ＦＡＸデータ転送制御部、１１５…操作受付部、１１６…出力部、１５０…画像形成部、２００…サーバ装置
【図１】
2020028008.tif 000003
【図２】
2020028008.tif 000004
【図３】
2020028008.tif 000005
【図４】
2020028008.tif 000006
【図５】
2020028008.tif 000007
【図６】
2020028008.tif 000008